(57)【要約】【課題】  嵌合筒部内の中継光ファイバ取付孔内において中継光ファイバをガタツキ発生を低減して強固に固定する。【解決手段】  中継光ファイバ取付孔１１の内周壁に、それぞれ先端部をフェルール嵌合孔１０との連通部位を構成するフェルール突当て面１２よりも内側に位置されて複数個の係合凸部１４を周方向に並んで形成し、これら係合凸部１４が外周部に食い込むことによって中継光ファイバ１６の軸方向の移動を防止し、中継光ファイバ１６を圧入状態で固定する。【選択図】  図２
2007011064.tif 000002
【特許請求の範囲】
【請求項１】
光プラグが嵌合されるプラグ嵌合口が開口されるとともに、このプラグ嵌合口と対向位置して開口されて嵌合された前記光プラグのフェルールが嵌合される大径のフェルール嵌合孔と、このフェルール嵌合孔とフェルール突当て面を構成して連通するやや小径の中継光ファイバ取付孔とを有する嵌合筒部が形成されたコネクタハウジングと、
前記中継光ファイバ取付孔の内径とほぼ同径の外径を有し、一端部を前記フェルール嵌合孔に臨ませて前記中継光ファイバ取付孔内に収納固定された中継光ファイバと、
前記中継光ファイバの他端部と対向して前記コネクタハウジング内に配置された光学素子モジュールとを備え、
前記中継光ファイバ取付孔が、その内周壁に、それぞれ先端部を前記フェルール嵌合孔との連通部位を構成する前記フェルール突当て面よりも内側に位置されて周方向に並んで複数個の係合凸部を形成し、これら係合凸部が外周部に食い込むことによって前記中継光ファイバを圧入状態で固定することを特徴とする光コネクタ。
【請求項２】
前記係合凸部が、前記中継光ファイバ取付孔の内周壁に、対角線上に位置する少なくとも２個が形成されることを特徴とする請求項１に記載の光コネクタ。
【請求項３】
前記係合凸部が、断面略台形に形成された軸方向の凸部によって構成されることを特徴とする請求項１又は請求項２に記載の光コネクタ。
【請求項４】
前記係合凸部が、前記フェルール突当て面側を略垂直面とした断面略直角三角形状に形成された凸部によって構成されることを特徴とする請求項１又は請求項２に記載の光コネクタ。
【請求項５】
前記係合凸部が、断面略台形に形成された軸方向の凸部と、前記フェルール突当て面側を垂直面とした断面略直角三角形状に形成された凸部とを組み合わせて構成されることを特徴とする請求項１又は請求項２に記載の光コネクタ。
【発明の詳細な説明】
【技術分野】
【０００１】
本発明は、光学素子モジュールを内蔵し、コネクタハウジングに開口したプラグ嵌合口に嵌合された光プラグとの間で光信号の授受を行う光コネクタに関する。
【背景技術】
【０００２】
光コネクタは、一般にコネクタハウジング内に基板に実装した受光素子や発光素子或いは送信モジュールや受信モジュール等の光学素子モジュールを内蔵しており、コネクタハウジングに設けた嵌合口に嵌合された光プラグとの間で光学信号の授受を行う。光コネクタには、コネクタハウジングの内部に、プラグ嵌合口と対向位置して開口されて嵌合された光プラグの光ファイバの先端に固定したフェルールを嵌合するフェルール嵌合孔を有する嵌合筒部が形成されている（例えば、特許文献１、特許文献２、特許文献３を参照）。
【０００３】
光コネクタには、嵌合筒部内にプラグ嵌合孔とフェルール突当て面を構成して同軸に連通するやや小径の中継光ファイバ取付孔が形成される。光コネクタは、中継光ファイバ取付孔内に一端部をプラグ嵌合孔に臨ませるとともに他端部を光学素子モジュールの受光面或いは発光面と対向されてプラスチック光ファイバ（POF:Fiber Optic Transceiver）からなる中継光ファイバが収納されて固定される。中継光ファイバは、コア及びクラッドからなるガラスや透明合成樹脂製の光導波路と、この光導波路を被覆する金属製の円筒形ホルダ（シース部）とから構成される。
【０００４】
光コネクタは、嵌合口から嵌合された光プラグがフェルールをフェルール突当て面にその先端部を突き当ててフェルール嵌合孔に嵌合した状態で、中継光ファイバがその一端面を光ファイバと対向される。光コネクタは、嵌合筒部内において中継光ファイバが遮光状態を保持されて固定されており、光学素子モジュールと光プラグとの間において光損失を生じること無く光学信号の授受が行われるようにする。
【特許文献１】特開平１０−２２７９５４号公報
【特許文献２】特開２００２−２３０２１号公報
【特許文献３】特開２００５−７０４６６号公報
【発明の開示】
【発明が解決しようとする課題】
【０００５】
ところで、従来の光コネクタにおいては、中継光ファイバがその外径を中継光ファイバ取付孔の内径とほぼ同径に形成されるとともに、中継光ファイバ取付孔の内周壁に複数個の係合凸部が一体に形成される。従来の光コネクタにおいては、各係合凸部が中継光ファイバ取付孔の内壁に、その一端部をフェルール突当て面を始端とした軸方向の凸部として形成される。従来の光コネクタにおいては、中継光ファイバが中継光ファイバ取付孔内においてシース部の外周部を各係合凸部によって押圧され、これら各係合凸部がシース部に食い込んだ状態となるいわゆる圧入状態とされて収納固定される。
【０００６】
ところで、従来の光コネクタにおいては、上述したように各係合凸部がフェルール突当て面を始端とした軸方向の凸部として形成して中継光ファイバを中継光ファイバ取付孔内に圧入固定した構造である。したがって、従来の光コネクタにおいては、中継光ファイバがフェルール嵌合孔側からの引張り力が作用された場合に、先端側の部位が各係合凸部をストッパとしてその抜け出しが阻止される。一方、従来の光コネクタにおいては、中継光ファイバに対してフェルール嵌合孔側からの軸方向の押圧力が作用された場合には、この中継光ファイバが光学素子モジュール側へと移動しやすい。
【０００７】
従来の光コネクタにおいては、例えば中継光ファイバがその端部をフェルール突当て面からフェルール嵌合孔内にやや突出した状態で中継光ファイバ取付孔に収納されている場合に、光プラグを嵌合した際にフェルールによって軸方向の押圧力を受ける。従来の光コネクタにおいては、このために中継光ファイバが中継光ファイバ取付孔内を移動して光学素子モジュールと突き当たり、その端面や光学素子モジュールの光学面が傷付けられたりする虞があった。また、従来の光コネクタにおいては、振動や衝撃が加えられた場合にも同様の問題が生じる虞があった。
【０００８】
従来の光コネクタにおいては、上述した問題を解決するために、例えば接着剤を用いて中継光ファイバを中継光ファイバ取付孔内に固定する対応も図られる。しかしながら、かかる接着剤を用いる対応は、接着工程が増えるばかりでなく、接着剤が流れ出して光学素子モジュールの光学面や中継光ファイバの端面に付着して光学信号の授受を不能とさせたり効率を低下させるといった問題を生じさせる。
【０００９】
したがって、本発明は、嵌合筒部内において中継光ファイバがガタツキの発生を低減されて強固に固定されるように構成した光コネクタを提供することを目的に提案されたものである。
【課題を解決するための手段】
【００１０】
上述した目的を達成する本発明にかかる光コネクタは、コネクタハウジングと、中継光ファイバと、光学素子モジュールとを備える。光コネクタは、コネクタハウジングが、光プラグを嵌合するプラグ嵌合口が開口されるとともに、このプラグ嵌合口と対向位置して開口されて嵌合された光プラグのフェルールが嵌合される大径のフェルール嵌合孔と、このフェルール嵌合孔とフェルール突当て面を構成して連通する小径の中継光ファイバ取付孔とを有する嵌合筒部が形成される。光コネクタは、中継光ファイバが、中継光ファイバ取付孔内に、一端部をフェルール嵌合孔に臨ませて収納固定される。光コネクタは、光学素子モジュールが、中継光ファイバの他端部と対向してコネクタハウジング内に配置される。
【００１１】
光コネクタは、中継光ファイバ取付孔が、その内周壁に、それぞれ先端部をフェルール嵌合孔との連通部位を構成するフェルール突当て面よりも内側に位置された複数個の係合凸部を周方向に並んで形成し、これら係合凸部が外周部に食い込むことによって中継光ファイバを圧入状態で固定する。光コネクタは、中継光ファイバが、軸方向の途中箇所で各係合凸部によって押圧されて外周部が凹形の形状となるとともにこの押圧部位を挟んだ両端部側が膨張して内周壁に強く密着された状態で中継光ファイバ取付孔内に圧入固定される。したがって、光コネクタは、中継光ファイバが各係合凸部によって中継光ファイバ取付孔内に固定されるとともに、プラグ嵌合口に嵌合された光プラグ側のフェルールが突き当てられたり振動或いは衝撃等が加えられた場合でも、中継光ファイバ取付孔内を軸方向に移動することが防止される。
【発明の効果】
【００１２】
以上のように構成された本発明にかかる光コネクタによれば、中継光ファイバが中継光ファイバ取付孔内において軸方向のガタツキを生じることなく強固に圧入固定される。したがって、光コネクタによれば、嵌合される光プラグのフェルール或いは振動や衝撃等に対して中継光ファイバの軸方向の移動が防止され、その両端部や光学素子モジュールの損傷等の発生或いは中継光ファイバの脱落の発生が防止され、信頼性の向上が図られる。
【発明を実施するための最良の形態】
【００１３】
以下、本発明の実施の形態として示す光コネクタ１について、図面を参照して詳細に説明する。光コネクタ１は、図１に示すように光プラグ２が嵌合されて、光信号の授受を行
う。光コネクタ１は、合成樹脂材料、例えばポリブチレンテレフタレート（PBT:polybutylene terephthalate）によって全体が略長方形の有底筒状体に形成されたコネクタハウジング３と、このコネクタハウジング３の底部を構成する側面３Ａ側に組み付けられたキャップ部材４とを備える。
【００１４】
コネクタハウジング３は、側面３Ａと対向する側面が大きく開口され、光プラグ２が嵌合されるプラグ嵌合口５が形成されている。コネクタハウジング３には、その内部にプラグ嵌合口５から連通して大きなプラグ嵌合空間部６が構成される。コネクタハウジング２には、側面２Ａの内面に、詳細を後述するがプラグ嵌合口５側に向かってプラグ嵌合空間部６内に突出する一対の嵌合筒部７Ａ、７Ｂ（以下、個別に説明する場合を除いて嵌合筒部７と総称する。）が一体に形成されている。
【００１５】
コネクタハウジング３には、側面３Ａの嵌合筒部７の形成面と対向する外面に、それぞれ光素子モジュール８Ａ、８Ｂ（以下、個別に説明する場合を除いて光素子モジュール８と総称する。）を配置する一対の素子収容凹部９Ａ、９Ｂ（以下、個別に説明する場合を除いて素子収容凹部９と総称する。）或いは詳細を省略するが光素子モジュール８やキャップ部材４を位置決めして組み付ける位置決め部が一体に形成されている。コネクタハウジング３は、各素子収容凹部９が各嵌合筒部７と対向して形成される。
【００１６】
嵌合筒部７には、プラグ嵌合口５側と素子収容凹部９とに開口する内孔が全長に亘って貫通して形成される。嵌合筒部７は、内孔が、プラグ嵌合口５側に開口されるやや大径のフェルール嵌合孔１０Ａ、１０Ｂ（以下、個別に説明する場合を除いてフェルール嵌合孔１０と総称する。）と、素子収容凹部９側に開口されるやや小径の中継光ファイバ取付孔１１Ａ、１１Ｂ（以下、個別に説明する場合を除いて中継光ファイバ取付孔１１と総称する。）とから構成される。嵌合筒部７は、これらフェルール嵌合孔１０と中継光ファイバ取付孔１１とが軸方向の略中央部において、フェルール突当て面１２Ａ、１２Ｂ（以下、個別に説明する場合を除いてフェルール突当て面１２と総称する。）を構成して連通するように形成される。
【００１７】
フェルール嵌合孔１０は、嵌合筒部７に、プラグ嵌合口５と対向して開口された底付き孔として構成され、詳細を後述するようにプラグ嵌合口５から嵌合された光プラグ２のフェルール１３が嵌合される。フェルール嵌合孔１０は、フェルール１３の外径とほぼ等しい内径を有するとともに、このフェルール１３の全長を嵌合させるに足る軸長を有して形成される。フェルール嵌合孔１０は、プラグ嵌合口５から嵌合された光プラグ２を、そのフェルール１３がフェルール突当て面１２に突き当てさせるようにして嵌合させる。
【００１８】
中継光ファイバ取付孔１１は、嵌合筒部７内においてフェルール嵌合孔１０の底部となるフェルール突当て面１２の中心に一端側を開口されるとともに他端側が素子収容凹部９に貫通するフェルール嵌合孔１０と軸線を一致された貫通孔からなる。中継光ファイバ取付孔１１は、後述する中継光ファイバ１３の外径とほぼ等しい内径を有するとともに、中継光ファイバ１３の全長を嵌合させる軸長を有して形成される。
【００１９】
各中継光ファイバ取付孔１１には、図２及び図３に示すように、内周壁に長さ方向の略中央領域で、互いに円周方向に対してそれぞれ９０°ずれた対角線上に位置して第１係合凸部１４Ａ乃至第４係合凸部１４Ｄ（以下、個別に説明する場合を除いて係合凸部１４と総称する。）が一体に形成されている。各係合凸部１４は、断面が略台形に形成され、所定の幅を有する軸方向のリブ状凸部によって構成される。各係合凸部１４は、それぞれのフェルール突当て面１２側の第１端面１５Ａが垂直面に形成されるとともに素子収容凹部９側の第２端面１５Ｂが傾斜面に形成された軸方向のリブ状凸部によって構成される。
【００２０】
各係合凸部１４は、図３に示すように第１端面１５Ａがフェルール嵌合孔１０との連通部位を構成するフェルール突当て面１２よりも間隔ａを以った内側位置から形成される。各係合凸部１４は、同様にして第２端面１５Ｂが素子収容凹部９側の開口部よりも間隔ｂを以った内側位置から形成される。すなわち、各係合凸部１４は、中継光ファイバ取付孔１１内において軸方向の中央部に位置して形成される。
【００２１】
光コネクタ１には、上述した各中継光ファイバ取付孔１１内にそれぞれ中継光ファイバ１６Ａ、１６Ｂ（以下、個別に説明する場合を除いて中継光ファイバ１６と総称する。）が圧入固定されている。中継光ファイバ１６は、中継光ファイバ取付孔１１の内径とほぼ等しい外径を有しており、図２に詳細を示すように光透過率の高くかつ屈折率を異にしたガラスや透明な合成樹脂によって成形したコアとクラッドとからなる光導波路１７と、この光導波路１７を被覆する金属製の円筒形ホルダ（シース部）１８とから構成される。なお、中継光ファイバ１６は、例えば光ファイバを中継光ファイバ取付孔１１の長さに切断したものを代替えとして用いることも可能である。中継光ファイバ１６は、この場合に光ファイバのガラス又は合成樹脂製の芯線部が光導波路１７に相当する機能を奏する。
【００２２】
中継光ファイバ１６は、中継光ファイバ取付孔１１に対して、例えば素子収容凹部９側の開口部より嵌合されて取り付けられる。中継光ファイバ１６は、先端部がフェルール突当て面１２と略同一面を構成するようにして中継光ファイバ取付孔１１に嵌合される。中継光ファイバ１６は、中継光ファイバ取付孔１１に嵌合された状態で、図２に示すように中央領域１９が各係合凸部１４によって外周部を押圧されて内部に弾性変形した凹形の状態となる。また、中継光ファイバ１６は、この中央領域１９を挟む両側領域２０Ａ、２０Ｂが、各係合凸部１４によって中央領域１９を押圧されることによって外周方向にやや膨出した状態となり中継光ファイバ取付孔１１の内周壁に密着する。
【００２３】
中継光ファイバ１６は、中継光ファイバ取付孔１１内に嵌合されることにより、上述したように軸方向の中央領域１９の外周部に係合凸部１４が食い込むことによってその内部に圧入状態で固定される。中継光ファイバ１６は、例えばフェルール嵌合孔１０側に押し出される方向の力が加えられた場合に、内周壁に密着した一方領域２０Ａに弾性変形が生じてさらに内周壁に密着力を作用させてストッパ作用を奏することで抜け止めが図られるようになる。中継光ファイバ１６は、同様にして素子収容凹部９側に押し出される方向の力が加えられた場合でも、内周壁に密着した他方領域２０Ｂに弾性変形が生じてさらに内周壁に密着力を作用させてストッパ作用を奏することで抜け止めが図られるようになる。
【００２４】
中継光ファイバ１６は、上述したように中継光ファイバ取付孔１１内に嵌合する簡易な操作によって嵌合筒部７への取り付けを行うことが可能である。中継光ファイバ１６は、接着剤を用いることなく、中継光ファイバ取付孔１１内に強固に固定される。中継光ファイバ１６は、中継光ファイバ取付孔１１内において、中央領域１９を係合凸部１４によって押圧されるとともに軸方向の作用力に対して側方領域２０Ａ、２０Ｂがそれぞれストッパ作用を奏する。したがって、中継光ファイバ１６は、中継光ファイバ取付孔１１内に圧入固定されるとともにガタツキの発生も防止される。中継光ファイバ１６は、中継光ファイバ取付孔１１内に互いに対角位置に形成された複数個の係合凸部１４Ａ乃至１４Ｄによって外周部を等間隔で押圧されることによって安定した状態で保持される。
【００２５】
光コネクタ１には、図１に示すようにプラグ嵌合空間部６内に突出して、プラグ嵌合口５から嵌合された光プラグ２を抜け止めした状態で保持する抜止め凸部２１がコネクタハウジング３に一体に形成されている。光コネクタ１には、プラグ嵌合口５から嵌合される光プラグ２をガイドする複数のガイドリブ２２が形成されている。
【００２６】
光コネクタ１においては、上述した中継光ファイバ１６の取り付けを行った後に、素子
収納凹部９内にそれぞれ光素子モジュール８の取り付けが行われる。光コネクタ１においては、光素子モジュール８を被覆するようにしてコネクタハウジング３にキャップ部材４が組み付けられる。光素子モジュール８は、例えば一方の素子収納凹部９Ａ側に収納される発光素子モジュール８Ａと、他方側の素子収納凹部９Ｂ側に収納される受光素子モジュールとからなる。
【００２７】
光素子モジュール８は、詳細を省略するが、例えば中継光ファイバ１６の皮下の導波路１７と同等の光透過率を有する合成樹脂材により成形されたモールド部に発光ダイオード等の発光素子或いはフォトダイオード等の受光素子を埋設してパッケージ化されたものである。光素子モジュール８は、光学面を中継光ファイバ取付孔１１の開口部に対向させて素子収納凹部９内に取り付けられる。光素子モジュール８は、光学面が中継光ファイバ取付孔１１内に収納固定された中継光ファイバ１６の端部と近接して対向する。
【００２８】
キャップ４は、例えばコネクタハウジング３と同一のＰＢＴにより成形され、詳細を省略する係合爪と係合孔との構造によってコネクタハウジング３に脱落防止が図られて組み付けられる。キャップ４は、その他の適宜の構造によってコネクタハウジング３に組み付けられるように構成してもよいことは勿論である。キャップ４には、各光素子モジュール８の接続端子を外方へと引き出す端子孔が適宜形成されている。
【００２９】
光コネクタ１は、コネクタハウジング３の外周部に少なくともプラグ嵌合口５を除いて外周部を覆うシールドケースを組み合わせるようにしてもよい。シールドケースは、金属薄板材、例えば銅合金を素材としてプレス加工等を施して製作され、表面には耐防錆性を向上させる錫めっき層が形成される。
【００３０】
以上のように構成された光コネクタ１には、プラグ嵌合口５から光プラグ２がプラグ嵌合空間部６内に嵌合される。光プラグ２は、例えばＰＢＴ等の合成樹脂材によってプラグ嵌合空間部６とほぼ同等の外形に成形されたプラグハウジング２３を有し、このプラグハウジング２３の一方側面から一対の光ケーブル２４Ａ、２４Ｂ（以下、個別に説明する場合を除いて光ケーブル２４と総称する。）が内部に引き込まれ、それぞれの先端部にフェルール１３が取り付けられている。
【００３１】
光プラグ２は、プラグハウジング２３の光ケーブル２４を引き込む側面と対向する側面側に、上述した光コネクタ１側の嵌合筒部７とそれぞれ対向させてフェルール１３が設けられる。光プラグ２には、プラグハウジング２３の外周部に、上述したコネクタハウジング３側の抜止め凸部２１が相対係合するとともに、光コネクタ１から取り外す際に操作されるロック凸片２５が一体に形成されている。なお、光プラグ２には、図示を省略するがプラグハウジング２３の外周部に、上述したコネクタハウジング３側のガイドリブ２２が相対係合される複数個のガイド溝が形成されている。
【００３２】
光プラグ２は、フェルール１３側の側面を嵌合側として光コネクタ１のプラグ嵌合口５に嵌合される。光プラグ２は、ガイド溝とガイドリブ２２との組み合わせによって位置決めされた状態でプラグ嵌合空間部７内に押し込まれて光コネクタ１に結合される。光コネクタ１は、光プラグ２がプラグ嵌合空間部７内に押し込まれるにしたがって、嵌合筒部７のフェルール嵌合孔１０内にフェルール１３を嵌合させる。光コネクタ１には、光プラグ２が、フェルール１３をフェルール嵌合孔１０のフェルール突当て面１２に突き当たるまで嵌合される。
【００３３】
光コネクタ１は、この状態で抜止め凸部２１にロック凸片２５が相対係合して弾性力を蓄勢し、この弾性力がフェルール１３をフェルール突当て面１２に突き当てた状態に保持する方向に作用させる。したがって、光コネクタ１においては、プラグ嵌合空間部７内に
おいて光プラグ２がガタツキの発生を抑制されて嵌合状態を保持され、同様にフェルール嵌合孔１０内においてフェルール１３がガタツキの発生を抑制されて嵌合状態を保持される。光コネクタ１においては、コネクタハウジン３やプラグハウジング２３等の構成各部材の寸法精度のバラツキが吸収されて、光プラグ２が結合されるようにする。
【００３４】
光コネクタ１においては、光プラグ２がプラグ嵌合空間部７に嵌合されてフェルール嵌合孔１０内においてフェルール突当て面１２と突き合わされフェルール１３が、中継光ファイバ取付孔１１内に収納された中継光ファイバ１６を軸方向に押圧する。光コネクタ１においては、嵌合筒部７内において中継光ファイバ１６とフェルール１３とが相対する端部を互いに突き合わされることによって、突き合わせ部位において光漏出が防止されて効率的な光信号の授受が行われるようにする。
【００３５】
光コネクタ１においては、上述したように中継光ファイバ１６が、中継光ファイバ取付孔１１の内周壁に形成した係合凸部１４によって中央領域１９を押圧されてその両側の側方領域２０を内周壁に密着させることによってガタツキの無い状態で収納される。光コネクタ１においては、中継光ファイバ１６が、その先端部にフェルール１３を突き当てられても中継光ファイバ取付孔１１内にしっかりと保持されて軸方向に移動することは無い。また、光コネクタ１においては、大きな振動や衝撃が加えられても、中継光ファイバ取付孔１１内において中継光ファイバ１６が、移動することは無い。
【００３６】
したがって、光コネクタ１においては、プラグ嵌合口５から嵌合される光プラグ２や振動或いは衝撃等に対して中継光ファイバ１６が軸方向に移動してその先端によって光学素子モジュール８を損傷させたり、先端部が損傷する等の不都合の発生が防止される。光コネクタ１においては、光学素子モジュール８や中継光ファイバ１６の損傷或いは中継光ファイバ１６の脱落といった不都合の発生が確実に防止され、信頼性の向上が図られる。
【００３７】
光コネクタ１においては、上述したように中継光ファイバ取付孔１１の内周壁に中継光ファイバ１６の中央領域１９を押圧するリブ状の係合凸部１４を形成したが、かかる構成に限定されるものでは無い。図４に示した嵌合筒部３０は、中継光ファイバ取付孔１１の内周壁に、フェルール突当て面１２側を略垂直面とした断面が略直角三角形を呈する楔状凸部からなる係合凸部３１を一体に形成する。係合凸部３１も、中継光ファイバ取付孔１１の内周壁に円周方向に互いに所定の間隔を以って複数個が一体に形成される。
【００３８】
係合凸部３１は、略直角三角形状を呈することから、中継光ファイバ１６が素子収納凹部９側へと押圧される場合に、楔作用を奏して中継光ファイバ１６の移動をさらに確実に防止して光素子モジュール８との衝合を抑制することを可能とする。係合凸部３１は、突出量をやや大きくして形成しても中継光ファイバ１６の押圧領域が小さいことから、この中継光ファイバ１６に対するストレスを軽減するとともに、樹脂歪みの発生が抑制された精度の高い中継光ファイバ取付孔１１をけいせいすることを可能とする。なお、係合凸部３１は、中継光ファイバ取付孔１１の内周壁にリング状の凸部として形成するようにしてもよい。
【００３９】
図５に示した嵌合筒部３５は、中継光ファイバ取付孔１１の内周壁に、上述したリブ状の係合凸部１４と、楔状の係合凸部３１とを組み合わせて一体に形成される。嵌合筒部３５には、上述したように互いに円周方向に対して９０°の間隔を以って係合凸部３１が形成されるとともに、これら係合凸部３１の間に位置するようにして係合凸部３１が形成される。嵌合筒部３５は、かかる構成によって円周方向の各位置で中継光ファイバ１６を確実に保持することが可能である。
【００４０】
なお、本発明は、構成各部が上述した構造に限定されないことは勿論である。
【図面の簡単な説明】
【００４１】
【図１】実施の形態として示す光コネクタの断面図であり、光プラグが嵌合される態様を示す。
【図２】同光コネクタに形成される中継光ファイバ取付孔と中継光ファイバとの構成を示す断面図である。
【図３】同光コネクタに形成される光プラグのフェールが嵌合される嵌合筒部の断面図である。
【図４】他の嵌合筒部を示す断面図である。
【図５】さらに他の嵌合筒部を示す側面図である。
【符号の説明】
【００４２】
１        光コネクタ
２        光プラグ
３        コネクタハウジング
５        プラグ嵌合口
６        プラグ嵌合空間部
７        嵌合筒部
８        光素子モジュール
９        素子収納凹部
１０      フェルール嵌合孔
１１      中継光ファイバ取付孔
１２      フェルール突当て面
１３      フェルール
１４      係合凸部
１６      中継光ファイバ
１７      光導波路
１８      シース部
１９      中央領域
２０      側方領域
２３      プラグハウジング
２４      光ケーブル
３０      嵌合筒部
３１      係止凸部
３５      嵌合筒部
【図１】
2007011064.tif 000003
【図２】
2007011064.tif 000004
【図３】
2007011064.tif 000005
【図４】
2007011064.tif 000006
【図５】
2007011064.tif 000007